(57)【要約】【課題】  フレキシブル基板を載置して搬送するのに適し、製造コストの低減が可能なフレキシブル基板用保持搬送治具及びその製造方法を提供する。【解決手段】  フレキシブル基板用保持搬送治具２０はプレート状治具本体としてのガラス繊維含有エポキシ系樹脂基板２１の上面に弱粘着性のスクリーン印刷皮膜としてのシリコーンゴム皮膜３０を被着形成したものであり、例えば四隅に位置決め穴２２を形成するとともに、多数の抜き穴２３を形成してある。シリコーンゴム皮膜３０は、スクリーン印刷により複数回皮膜を重ねて形成することで適切な厚みとしている。【選択図】        図１
2007048807.tif 000002
【特許請求の範囲】
【請求項１】
プレート状治具本体の上面に弱粘着性のスクリーン印刷皮膜を被着形成してなることを特徴とするフレキシブル基板用保持搬送治具。
【請求項２】
前記プレート状治具本体がガラス繊維含有エポキシ系樹脂であり、前記スクリーン印刷皮膜がシリコーンゴムである請求項１記載のフレキシブル基板用保持搬送治具。
【請求項３】
プレート状治具本体の上面にスクリーン印刷により弱粘着性皮膜を形成することを特徴とするフレキシブル基板用保持搬送治具の製造方法。
【請求項４】
前記にスクリーン印刷による弱粘着性皮膜の形成を複数回に分けて行う請求項３記載のフレキシブル基板用保持搬送治具の製造方法。
【請求項５】
プレート状治具本体の上面に接着性向上のためのプライマー層を形成する工程と、
前記プライマー層上に第１回目のスクリーン印刷により第１の弱粘着性皮膜を形成する工程と、
前記第１の弱粘着性皮膜上に第２回目のスクリーン印刷により第２の弱粘着性皮膜を重ねて形成する工程とを備えることを特徴とするフレキシブル基板用保持搬送治具の製造方法。
【請求項６】
各回のスクリーン印刷で形成される弱粘着性皮膜はそれぞれ０．１ｍｍ以下の厚みである請求項５記載のフレキシブル基板用保持搬送治具の製造方法。
【請求項７】
前記プレート状治具本体がガラス繊維含有エポキシ系樹脂であり、前記スクリーン印刷では液状シリコーンゴムを印刷する請求項３，４，５又は６記載のフレキシブル基板用保持搬送治具の製造方法。
【発明の詳細な説明】
【技術分野】
【０００１】
本発明は、チップ状電子部品等を搭載したフレキシブル基板を載置してはんだリフロー工程等に搬送するためのフレキシブル基板用保持搬送治具及びその製造方法に関する。
【背景技術】
【０００２】
一般に、フレキシブル基板上にクリームはんだを塗布後、クリームはんだ塗布部にチップ状電子部品を搭載し、リフロー工程で加熱し、クリームはんだを溶融、硬化させチップ状電子部品を前記フレキシブル基板の導体パターンに接続、装着することが行われている。
【０００３】
この場合、フレキシブル基板を平坦な状態で保持するために、ガラス繊維を含有したエポキシ系樹脂からなるプレート状の保持搬送治具が用いられる。また、フレキシブル基板を位置ずれなく保持するために弱粘着性部材を保持搬送治具の表面に貼り付けることが行われている。
【０００４】
従来のフレキシブル基板用保持搬送治具の例として、下記特許文献１がある。
【０００５】
【特許文献１】特開２００４−３５９２７０号公報
【０００６】
前記プレート状の保持搬送治具の表面に貼り付ける弱粘着性部材としては、例えば、シリコーン樹脂、アクリル樹脂、ウレタン系樹脂、ゴム系樹脂であり、従来は図４（Ａ）のように弱粘着性部材となる前記樹脂２を所定厚さ（例えば０．２ｍｍ程度）に形成し、図４（Ｂ）のようにプレート状治具本体となるガラス繊維含有エポキシ系樹脂基板１上に前記樹脂２を接着剤３を介して接着一体化し、さらに所要の抜き穴４を打ち抜き形成することで表面が弱粘着性の保持搬送治具１０を作製していた。
【０００７】
このため、製造工数が多く、またプレート状治具本体としてのガラス繊維含有エポキシ系樹脂基板に弱粘着性部材を接着後に穴あけ加工を行う必要があるため、穴あけ加工にも手間がかかる問題があり、製造コストの上昇を招いていた。
【発明の開示】
【発明が解決しようとする課題】
【０００８】
本発明は、上記の点に鑑み、フレキシブル基板を載置して搬送するのに適し、製造コストの低減が可能なフレキシブル基板用保持搬送治具及びその製造方法を提供することを目的とする。
【０００９】
本発明のその他の目的や新規な特徴は後述の実施の形態において明らかにする。
【課題を解決するための手段】
【００１０】
上記目的を達成するために、第１発明に係るフレキシブル基板用保持搬送治具は、プレート状治具本体の上面に弱粘着性のスクリーン印刷皮膜を被着形成してなることを特徴としている。
【００１１】
第２発明に係るフレキシブル基板用保持搬送治具は、第１発明において、前記プレート状治具本体がガラス繊維含有エポキシ系樹脂であり、前記スクリーン印刷皮膜がシリコーンゴムであることを特徴としている。
【００１２】
第３発明に係るフレキシブル基板用保持搬送治具の製造方法は、プレート状治具本体の上面にスクリーン印刷により弱粘着性皮膜を形成することを特徴としている。
【００１３】
第４発明に係るフレキシブル基板用保持搬送治具の製造方法は、第３発明において、前記にスクリーン印刷による弱粘着性皮膜の形成を複数回に分けて行うことを特徴としている。
【００１４】
第５発明に係るフレキシブル基板用保持搬送治具の製造方法は、プレート状治具本体の上面に接着性向上のためのプライマー層を形成する工程と、
前記プライマー層上に第１回目のスクリーン印刷により第１の弱粘着性皮膜を形成する工程と、
前記第１の弱粘着性皮膜上に第２回目のスクリーン印刷により第２の弱粘着性皮膜を重ねて形成する工程とを備えることを特徴としている。
【００１５】
第６発明に係るフレキシブル基板用保持搬送治具の製造方法は、第５発明において、各回のスクリーン印刷で形成される弱粘着性皮膜はそれぞれ０．１ｍｍ以下の厚みであることを特徴としている。
【００１６】
第７発明に係るフレキシブル基板用保持搬送治具の製造方法は、第３、第４、第５又は第６発明において、前記プレート状治具本体がガラス繊維含有エポキシ系樹脂であり、前記スクリーン印刷では液状シリコーンゴムを印刷することを特徴としている。
【発明の効果】
【００１７】
本発明によれば、プレート状治具本体の上面に弱粘着性のスクリーン印刷皮膜が被着形成されているので、載置されたフレキシブル基板を平坦な状態で粘着性によって位置ずれなく搬送することが可能である。また、プレート状治具本体及び弱粘着性のスクリーン印刷皮膜の材質を適切に設定することで、はんだリフロー時の高温にも耐え得るようにすることが可能である。さらに、スクリーン印刷で弱粘着性皮膜を形成することで、製造工数が少なく、製造コストの低減が可能である。
【発明を実施するための最良の形態】
【００１８】
以下、本発明を実施するための最良の形態として、フレキシブル基板用保持搬送治具及びその製造方法の実施の形態を図面に従って説明する。
【００１９】
図１乃至図３を用いて本発明に係るフレキシブル基板用保持搬送治具及びその製造方法の実施の形態を説明する。これらの図において、フレキシブル基板用保持搬送治具２０はプレート状治具本体としてのガラス繊維含有エポキシ系樹脂基板２１の上面に弱粘着性のスクリーン印刷皮膜としてのシリコーンゴム皮膜３０を被着形成したものであり、例えば四隅に位置決め穴２２を形成するとともに、多数の抜き穴２３を形成してある。
【００２０】
保持搬送治具２０上に載置するフレキシブル基板４０は導体パターンがプリントされたフレキシブルシート４１にチップ状電子部品５０等を搭載したものであり、前記抜き穴２３はフレキシブルシート４１の下面に装着されたチップ状電子部品５０等を回避するために形成されるものである。前記抜き穴２３の形状及び位置はフレキシブルシート４１の下面に装着される各種部品の形状及び位置に合わせて設けられる。
【００２１】
なお、弱粘着性とは、フレキシブル基板を位置ずれしないように保持することができるが、フレキシブル基板の載置後にフレキシブル基板を容易に剥がすことが可能な程度の粘着性の強さである。
【００２２】
図３はプレート状治具本体としてのガラス繊維含有エポキシ系樹脂基板２１上にスクリーン印刷皮膜としてのシリコーンゴム皮膜３０を所要厚みで形成する手順を示す。
【００２３】
まず、図３（Ａ）のように位置決め穴や抜き穴２３の穴あけ加工後のガラス繊維含有エポキシ系樹脂基板２１上面にプライマー層２５をスクリーン印刷する。このプライマー層２５はガラス繊維含有エポキシ系樹脂とシリコーンゴムとの接着性を向上させるために設けられている。
【００２４】
次に、図３（Ｂ）のように液状シリコーンゴムをスクリーン印刷し乾燥させることによりプライマー層２５上に第１層のシリコーンゴム皮膜３１（第１の弱粘着性皮膜）を形成する。
【００２５】
更に、図３（Ｃ）のように液状シリコーンゴムをスクリーン印刷し乾燥させることにより第１層のシリコーンゴム皮膜３１上に第２層のシリコーンゴム皮膜３２（第２の弱粘着性皮膜）を形成し、第１及び第２層のシリコーンゴム皮膜３１，３２（重なり合ってシリコーンゴム皮膜３０となる）の合計の厚みで所要厚みを確保する。
【００２６】
なお、第１層及び第２層のシリコーンゴム皮膜の厚みは０．１ｍｍ以下、より好ましくは０．０５ｍｍ以下とする。これは液状シリコーンゴム塗布時の凝集による凹凸発生を防止するためであり、上記範囲とすることで平坦な弱粘着性のスクリーン印刷皮膜が得られる。
【００２７】
この実施の形態によれば、次の通りの効果を得ることができる。
【００２８】
(1)  プレート状治具本体としてのガラス繊維含有エポキシ系樹脂基板２１の上面に弱粘着性のスクリーン印刷皮膜としてのシリコーンゴム皮膜３０を被着形成した構成であり、従来の所要厚さのシートとした弱粘着性部材をプレート状治具本体に接着剤で貼り付け、穴あけ加工する構成に比較して、製造工数が少なく、安価に作製可能である。
【００２９】
(2)  ガラス繊維含有エポキシ系樹脂基板２１にシリコーンゴム皮膜３０を設ける前に基板２１の穴あけ加工が可能であり、穴あけ加工が容易、かつ低コストである。
【００３０】
(3)  液状シリコーンゴムをガラス繊維含有エポキシ系樹脂基板２１上に複数回に分けてスクリーン印刷することで、液状シリコーンゴムの凝集による凹凸発生を防止して、平坦なシリコーンゴム皮膜３０を形成可能である。
【００３１】
(4)  ガラス繊維含有エポキシ系樹脂基板２１の上面に弱粘着性のシリコーンゴム皮膜３０を被着形成したフレキシブル基板用保持搬送治具２０は、実験によれば、フレキシブル基板４０を上に載置した状態においてはんだリフロー工程にて３００℃程度の雰囲気にさらされても耐久性を有する。
【００３２】
なお、プレート状治具本体としてガラス繊維含有エポキシ系樹脂基板を例示したが、用途に応じて他の材質を採用することも可能である。
【００３３】
また、弱粘着性のスクリーン印刷皮膜としてシリコーンゴム皮膜を例示したが、用途に応じて他の材質を採用することも可能である。但し、はんだリフロー工程の温度に耐え得るものとして、現状ではシリコーンゴム皮膜が好適であるといえる。
【００３４】
以上本発明の実施の形態について説明してきたが、本発明はこれに限定されることなく請求項の記載の範囲内において各種の変形、変更が可能なことは当業者には自明であろう。
【図面の簡単な説明】
【００３５】
【図１】本発明に係るフレキシブル基板用保持搬送治具及びその製造方法の実施の形態を示す正断面図である。
【図２】本実施の形態の平面図である。
【図３】本実施の形態において、スクリーン印刷皮膜としてのシリコーンゴム皮膜を所要厚みで形成する手順を示す説明図である。
【図４】従来のフレキシブル基板用保持搬送治具の製造過程を示す説明図である。
【符号の説明】
【００３６】
１，２１  ガラス繊維含有エポキシ系樹脂基板
２  樹脂
３  接着剤
４，２３  抜き穴
１０，２０  保持搬送治具
２２  位置決め穴
２５  プライマー層  
３０，３１，３２  シリコーンゴム皮膜
４０  フレキシブル基板
４１  フレキシブルシート
５０  チップ状電子部品
【図１】
2007048807.tif 000003
【図２】
2007048807.tif 000004
【図３】
2007048807.tif 000005
【図４】
2007048807.tif 000006